【手続補正書】
【提出日】平成29年4月25日(2017.4.25)
【手続補正１】
【補正対象書類名】明細書
【補正対象項目名】０１２５
【補正方法】変更
【補正の内容】
【０１２５】
「要約書」は、諸請求項の範囲または意味を解釈するためまたは限定するために用いられないとの理解のもとに提出されるものである。さらに上記の「発明を実施するための形態」では開示を簡素化するために、様々な特徴が一緒にまとめられ、または単一の実施形態において述べられる場合がある。以下の「特許請求の範囲」が表すように、特許請求される主題は、開示された例のいずれかの特徴のすべてより少ないものを対象となし得る。
また、本発明は以下に記載する態様を含む。
（態様１）
センサネットワークの共有バスに結合するためのバスインターフェースと、
前記センサネットワークのセンサに結合するためのセンサインターフェースと、
前記バスインターフェースおよび前記センサインターフェースに結合されたゲート型パルス幅変調回路であって、前記共有バスを通じて受け取ったタイミング信号に基づいて決定されるタイムスロット中に、前記センサから受け取った信号のアナログパルス幅被変調表示を送信するように構成された、ゲート型パルス幅変調回路と
を備える、デバイス。
（態様２）
前記ゲート型パルス幅変調回路が非同期シグマ−デルタ変調器回路を備える、態様１に記載のデバイス。
（態様３）
前記タイムスロットが、前記バス上の送信のために前記デバイスに割り振られた複数のフレームの各フレーム中の媒体アクセス時間に対応する、態様１または２に記載のデバイス。
（態様４）
前記ゲート型パルス幅変調回路が、前記複数のフレームの第１のフレーム中に前記センサから受け取った前記信号の前記アナログパルス幅被変調表示を送信し、前記複数のフレームの第２のフレーム中に前記デバイスのノード識別子の少なくとも一部分を送信するように構成される、態様３に記載のデバイス。
（態様５）
前記ゲート型パルス幅変調回路に結合されたゲートコントローラをさらに備え、前記ゲートコントローラは、前記タイムスロットが始まるときに、前記ゲート型パルス幅変調回路のスイッチの活動化を開始するように構成される、態様１から４のいずれか一項に記載のデバイス。
（態様６）
前記タイミング信号からオフセットされたクロック信号を生成するためのクロックをさらに備え、前記ゲート型パルス幅変調回路は、前記クロック信号に基づいて前記信号の前記アナログパルス幅被変調表示を送信するようイネーブルされる、態様１から５のいずれか一項に記載のデバイス。
（態様７）
タイムスロット情報を記憶するように構成された記憶装置をさらに備え、前記タイムスロット情報は、送信タイムスロット識別子、受信タイムスロット識別子、タイムスロット幅、またはそれらの組み合わせを含む、態様１から６のいずれか一項に記載のデバイス。
（態様８）
センサからデータを受け取ること、
バスを通じてタイミング信号を受け取ること、および
前記タイミング信号に基づいて決定されるタイムスロット中に、前記バスを通じて前記データのアナログパルス幅被変調表示を送信すること
を含む、方法。
（態様９）
前記データの前記アナログパルス幅被変調表示の送信を可能にするように、前記タイムスロットの始まりの識別に基づいて、スイッチを活動化することをさらに含む、態様８に記載の方法。
（態様１０）
前記タイムスロット中に、前記データの前記アナログパルス幅被変調表示を生成することをさらに含む、態様８または９に記載の方法。
（態様１１）
前記バスを通じて前記データの前記アナログパルス幅被変調表示を送信する前に、キャリア信号と、前記データの前記アナログパルス幅被変調表示とを組み合わることをさらに含む、態様８から１０のいずれか一項に記載の方法。
（態様１２）
第２のタイムスロット中に、前記バスを通じて第２のアナログパルス幅被変調データを受け取ること、および
前記第２のアナログパルス幅被変調データの表示を前記センサに送ること
をさらに含む、態様８から１１のいずれか一項に記載の方法。
【手続補正２】
【補正対象書類名】特許請求の範囲
【補正対象項目名】全文
【補正方法】変更
【補正の内容】
【特許請求の範囲】
【請求項１】
センサネットワークの共有バスに結合するためのバスインターフェースと、
前記センサネットワークのセンサに結合するためのセンサインターフェースと、
前記バスインターフェースおよび前記センサインターフェースに結合されたゲート型パルス幅変調回路であって、前記共有バスを通じて受け取ったタイミング信号に基づいて決定される割り当てタイムスロット中に、前記センサから受け取った信号のアナログパルス幅被変調表示を送信するゲート型パルス幅変調回路と
を備える、デバイスであって、
前記タイムスロットが、前記バス上の送信のために前記デバイスに割り当てられた複数のフレームの各フレーム中の媒体アクセス時間に対応する、デバイス。
【請求項２】
前記ゲート型パルス幅変調回路が非同期シグマ−デルタ変調器回路を備える、請求項１に記載のデバイス。
【請求項３】
前記ゲート型パルス幅変調回路が、前記複数のフレームの第１のフレーム中に前記センサから受け取った前記信号の前記アナログパルス幅被変調表示を送信し、前記複数のフレームの第２のフレーム中に前記デバイスのノード識別子の少なくとも一部分を送信するように構成される、請求項２に記載のデバイス。
【請求項４】
前記ゲート型パルス幅変調回路に結合されたゲートコントローラをさらに備え、前記ゲートコントローラは、前記タイムスロットが始まるときに、前記ゲート型パルス幅変調回路のスイッチの活動化を開始するように構成される、請求項１から３のいずれか一項に記載のデバイス。
【請求項５】
前記タイミング信号からオフセットされたクロック信号を生成するためのクロックをさらに備え、前記ゲート型パルス幅変調回路は、前記クロック信号に基づいて前記信号の前記アナログパルス幅被変調表示を送信するようイネーブルされる、請求項１から４のいずれか一項に記載のデバイス。
【請求項６】
タイムスロット情報を記憶するように構成された記憶装置をさらに備え、前記タイムスロット情報は、送信タイムスロット識別子、受信タイムスロット識別子、タイムスロット幅、またはそれらの組み合わせを含む、請求項１から５のいずれか一項に記載のデバイス。
【請求項７】
センサからデータを受け取ること、
バスを通じてタイミング信号を受け取ること、および
前記タイミング信号に基づいて決定される割り当てタイムスロット中に、前記バスを通じて前記データのアナログパルス幅被変調表示を送信すること
を含み、
前記タイムスロットが、前記バス上の送信のために割り当てられた複数のフレームの各フレーム中の媒体アクセス時間に対応する、方法。
【請求項８】
前記データの前記アナログパルス幅被変調表示の送信を可能にするように、前記タイムスロットの始まりの識別に基づいて、スイッチを活動化することをさらに含む、請求項７に記載の方法。
【請求項９】
前記タイムスロット中に、前記データの前記アナログパルス幅被変調表示を生成することをさらに含む、請求項７または８に記載の方法。
【請求項１０】
前記バスを通じて前記データの前記アナログパルス幅被変調表示を送信する前に、キャリア信号と、前記データの前記アナログパルス幅被変調表示とを組み合わることをさらに含む、請求項７から９のいずれか一項に記載の方法。
【請求項１１】
第２のタイムスロット中に、前記バスを通じて第２のアナログパルス幅被変調データを受け取ること、および
前記第２のアナログパルス幅被変調データの表示を前記センサに送ること
をさらに含む、請求項７から１０のいずれか一項に記載の方法。